(57)【要約】      （修正有）【課題】携帯式揺動健康器具を提供する。【解決手段】本体１０、駆動装置２０、伝達板３０、結合帯５０及び組み立て部材６０を備え、本体１０の内部空間１０３に、収納室１０５が仕切られ、その両側から、外方向へ本体底部と周壁１０２に、それぞれ、位置制限溝１０７と開口１０８が形成され、収納室の駆動装置が、連動軸２１に接続された偏心部材２２を利用してパワーを、長尺溝３１と、両側に伸長アーム３２を設けた伝達板に伝達する構成とする。【選択図】図２
2014097274.tif 000002
【特許請求の範囲】
【請求項１】
本体、駆動装置、少なくとも一つの伝達板、二つの結合帯及び二つの組み立て部材が備えられる携帯式揺動健康器具であって、
本体に、内部空間が形成されてあり、内部空間に収納室が仕切られ、収納室の両側から外方向へ本体底部と周壁に、それぞれ、位置制限溝と開口が形成され、
駆動装置が、モーターであり、本体の収納室に収納され、連動軸に接続された偏心部材を利用して、パワーを伝達板に伝達し、
伝達板に、長尺溝が形成されてあり、伝達板の両側に、それぞれ、伸長アームが設けられ、前記伝達板が、本体の内部空間に収納され、長尺溝に偏心部材を嵌入し、本体の前後側周壁により伝達板を位置制限させることにより、伝達板が、本体の内部空間において、制限された範囲内で直線方向に変位することができ、
結合帯の一端が、開口から貫通して、本体の内部空間において、組み立て部材により、伝達板の伸長アームと連結され、結合帯のもう一端が、調整結合部とされ、
組み立て部材が、伝達板の伸長アームと本体の位置制限溝に貫通されることにより、結合帯と伝達板が連結され、前記二つの組み立て部材が、本体の底部の下方において、結合されて、結合帯の両側からの力を安定化させる
ことを特徴とする携帯式揺動健康器具。
【請求項２】
本体には、底部と、上記底部の周縁から上方へ延びる周壁とが形成されてあり、底部と周壁とにより囲まれることにより内部空間が形成され、内部空間において、更に、管状構成により仕切られて収納室が形成されることを特徴とする請求項１に記載の携帯式揺動健康器具。
【請求項３】
本体の周壁に外方向突出部が設けられ、伝達板の前後側において、位置制限ブロックが突出し、前記位置制限ブロックと本体外方向突出部とが嵌合することにより、伝達板が、本体の内部空間において、制限された直線方向に変位することを特徴とする請求項１に記載の携帯式揺動健康器具。
【請求項４】
本体には、上部ふたと底部ふたとが設けられてあり、内部部材が収納された後、上部ふたと底部ふたが、それぞれ嵌合されることにより、本体の上下方ともに閉鎖されることを特徴とする請求項１に記載の携帯式揺動健康器具。
【請求項５】
駆動装置が、一方向モーターであり、一方向モーターの上下に、それぞれ、伝達板と連接部材とが設置され、連接部材が長尺板であり、本体の底部の下方に設置され、二つの組み立て部材を連結することを特徴とする請求項１に記載の携帯式揺動健康器具。
【請求項６】
駆動装置が、双方向モーターであり、前記双方向モーターの上下に、それぞれ、伝達板が実装されることを特徴とする請求項１に記載の携帯式揺動健康器具。
【請求項７】
偏心部材に、軸受が嵌設されることを特徴とする請求項１に記載の携帯式揺動健康器具。
【請求項８】
結合帯の一端に、折戻り部が形成され、組み立て部材が、軸ピンであり、前記軸ピンが、結合帯の折戻り部に貫設して、結合帯と伝達板とが連結されることを特徴とする請求項１に記載の携帯式揺動健康器具。
【請求項９】
調整結合部が、止着テープであることを特徴とする請求項１に記載の携帯式揺動健康器具。
【請求項１０】
調整結合部が、雄雌係合具であることを特徴とする請求項１に記載の携帯式揺動健康器具。    
【発明の詳細な説明】
【技術分野】
【０００１】
本発明は、携帯式揺動健康器具に関するものであり、さらに詳しくは、人体脂肪や筋肉に規則的に振動を与えることにより身体各部の鍛錬可能な携帯式揺動健康器具に関するものである。
【背景技術】
【０００２】
従来の健康器具は、図１６及び図１７で示すように、パッド体７０に、マッサージ帯セット８０を結合させるための固定座７１が設置されている。マッサージ帯セット８０は、モーター８２により、連動軸８３と二つの偏心輪セット８４が連動する。前記二つの偏心輪セット８４が、両端部に設置され、前記二つの偏心輪セット８４により、二つの対向する結合帯８１が設置される。モーター８２が、両方向モーターであり、両方の連動軸８３を回転して連動する。偏心輪セット８４は、偏心部材８４１により、結合部材８４２で、軸受８４３に合わせて、連動軸８３の両端に実装され、結合帯８１が、偏心輪セット８４の結合部材８４２に結合され、先端部に調整結合部８１１が設けられてある。前記調整結合部８１１は、雄雌係合具であってもよく、止着テープであってもよい。
【０００３】
前記によれば、モーター８２が稼動すると、連動軸８３が、同時に回転するように連動し、連動軸８３が、偏心輪セット８４の偏心部材８４１により、偏心回転を行い、結合部材８４２が回転する。また、結合部材８４２は、軸受８４３が設置されることと、前方に設けてある結合帯８１がパッド体７０の固定位置までに引き出されることにより、前方への回転が維持される。それにより、結合帯８１が、迅速に左右に揺動することができ、従って、身体の各部に対して、振動マッサージを実行することができる。
【０００４】
しかしながら、前記の従来の構成は、実用上、次の問題点がある。
１、マッサージ帯セット８０を、パッド体７０に合わせて使用しなければならず、前記の比較的大きいパッド体７０の場合は、容易に携帯できず、ユーザーが使用する時、時間や空間によって制限され、時間及び場所を選ばずにマッサージや健康運動をすることができない。
２、マッサージ帯セット８０が、振動方式により、人体に対してマッサージし、高速偏心回転による振動力により容易にマッサージする部位に、苦痛及び不快適な感覚を与えるため、ユーザーがマッサージによる快適感が得られない。
３、振動力が小さく、肌の表層しかマッサージできず、脂肪の内部までマッサージして、筋肉揺動を行えないため、マッサージ健康運動の効果が制限されて、ボディ曲線を形づくるようなことはできない。
４、パッド体７０の体積が大きいため、結合帯８１が、全周式に人体を囲むことができず、前記小範囲の接触によると、深層まで作用できず、結合帯８１が肌表層を摩擦するだけになるため、マッサージの効果が小さい。
【０００５】
また、従来の他の健康器具は、図１８と図１９に示すように、底座９０が設けてあり、前記底座９０の一側から上方へ直立状の支持柱９１が伸び、支持柱９１に制御器９２が設置されたものである。制御器９２の両側から、それぞれ、係合耳９３が突出し、前記係合耳９３に、それぞれ、係合リング９４が係合され、上記二つの係合リング９４に、腰帯９５が設置される。また、腰帯９５の所定位置に、弾性材質の拘束帯９６が設置され、前記拘束帯９６と前記腰帯９５との間に、囲み空間が形成され、前記囲み空間に、ユーザーが位置して、前記拘束帯９６により、ユーザーの腹部を拘束して振動させることによりマッサージを行うように構成されたものである。
【０００６】
しかしながら、前記の他の従来構成によれば、実用上、下記の問題点がある。
1、マッサージ健康器具の体積が大きくて、容易に携帯できず、ユーザーが使用する時でも、時間や空間の制限があり、時間及び場所を選ばずにマッサージや健康運動をすることができない。    
２、腰帯９５と拘束帯９６とが、振動方式で人体に対してマッサージし、そのような高速偏心回転による振動力により、容易にマッサージする部位に対し、不快適な感覚を与えるため、ユーザーはマッサージによる快適感が得られない。
３、その振動力によれば、肌表層しかマッサージできず、脂肪の内部までマッサージして、筋肉揺動を行えないため、マッサージ健康運動の効果が制限されて、有効にボディ曲線を形づくることができない。
４、腰帯９５が、全周式のように人体を囲むことができず、前記の小範囲の接触によると、深層まで作用できず、腰帯９５が、肌表層を摩擦するだけになり、マッサージの効果が十分得られない。
５、拘束帯９６が、別に、腰帯９５に設置したため、腰帯９５と、干渉や差動が発生し、前記の同期ではない連動により、腰帯９５が押されて引っ張られると、人体の一側において、緊密に圧迫されて、もう一側において、弛緩が発生し、使用過程において、快適ではなく、また、ユーザーが負傷を受ける恐れがある。
【０００７】
実用新案登録第３１０７３２５号公報（以下、「特許文献１」という。）には、携帯に便利な椅子上に配置できる腹部健康器具であって、モーター、軸棒、発振ブロックコントローラ及びプラグからなる主体部と、主体部に装着される振動ベルトを備え、モーターは軸棒の中央に配置され、軸棒両側には、それぞれ発振ブロックが連結されると共に、モーターは導線によりコントローラと互いに接続され、コントローラはプラグと接続されて主体部を構成し、軸棒の両側には遊端部にベルベットファスナを有する振動ベルトを装着しており、主体部は椅子背凭れ部に装着されると共に、振動ベルトによって椅子の使用者を囲繞し、モーターが振動ベルトを振動させる構成が記載されている。
【０００８】
しかし、特許文献１の健康器具についても、前記の問題点を解決するにはさらに改善の余地がある。
【特許文献１】実用新案登録第３１０７３２５号公報
【発明の概要】
【発明が解決しようとする課題】
【０００９】
従って、本発明の主な課題は、健康器具本体の体積が小さくて、容易に、携帯可能であり、ユーザーが、使用する際に、時間や空間によって制限されず、時及び時間を選ばず、マッサージ健康運動を行うことができる携帯式揺動健康器具を提供することにある。
【００１０】
本発明の他の課題は、本体の体積が小さくて、スペースを取らないため、ユーザーが、結合帯を人体に巻き込むと、全周式のように覆ってマッサージできる携帯式揺動健康器具を提供することにある。
【００１１】
本発明の更に他の課題は、結合帯が振動ではない方式で人体に接触するため、マッサージする部位に苦痛及び不快適な感覚を与えることなく、ユーザーにとって、マッサージの快適感が得られる携帯式揺動健康器具を提供することにある。
【００１２】
本発明の更に他の課題は、使用する時、人体の筋肉や脂肪が、結合帯によって連動されて、左右にリズムよく揺動でき、これにより、身体の各部位に対して、マッサージを行うだけでなく、健康運動もするため、ボディ曲線を形づくる具体的な効果が得られる携帯式揺動健康器具を提供することにある。
【００１３】
本発明の更に他の課題は、全周式のように覆うため、広い範囲で人体が連動され、リズムよく揺動でき、運動効果が得られ、そして、身体の所定部位に対してフィットネス効果を奏することができる携帯式揺動健康器具を提供する。
【００１４】
本発明の更に他の課題は、全周式のように覆うため、結合帯全体が、同期に作動でき、それにより、人体に対して、片方へ押すことや挟むことを防止することができ、使用過程においての快適感が得られ、また、負傷の防止可能な携帯式揺動健康器具を提供することにある。
【課題を解決するための手段】
【００１５】
そこで、本発明者は、前記の本発明の課題を解決するために鋭意検討を重ねた結果、後述するように、モーターとモーターの駆動により、スライド状態で左右に往復動作する伝達板と、伝達板の動作の範囲を制限する特定の形状の位置制限ブロックを組み合わせることにより、前記課題を解決できることに着目し、かかる見地に基づいて本発明に想到した。
【００１６】
かくして、本発明によれば、請求項１において、本体、駆動装置、少なくとも一つの伝達板、二つの結合帯及び二つの組み立て部材が備えられる携帯式揺動健康器具であって、
本体に、内部空間が形成されてあり、内部空間に収納室が仕切られ、収納室の両側から外方向へ本体底部と周壁に、それぞれ、位置制限溝と開口が形成され、
駆動装置が、モーターであり、本体の収納室に収納され、連動軸に接続された偏心部材を利用して、パワーを伝達板に伝達し、
伝達板に、長尺溝が形成されてあり、伝達板の両側に、それぞれ、伸長アームが設けられ、前記伝達板が、本体の内部空間に収納され、長尺溝に偏心部材を嵌入し、本体の前後側周壁により伝達板を、位置制限させることにより、伝達板が、本体の内部空間において、制限された範囲内に、直線方向に変位することができ、
結合帯の一端が、開口から貫通して、本体の内部空間において、組み立て部材により、伝達板の伸長アームと連結され、結合帯のもう一端が、調整結合部とされ、
組み立て部材が、伝達板の伸長アームと本体の位置制限溝に貫通されることにより、結合帯と伝達板が連結され、上記二つの組み立て部材が、本体の底部の下方において、結合されて、結合帯の両側からの力を安定化させる
ことを特徴とする携帯式揺動健康器具が提供される。
【００１７】
請求項２に係る発明によれば、本本体には、底部と、上記底部の周縁から上方へ延びる周壁とが形成されてあり、底部と周壁とにより囲まれることにより内部空間が形成され、内部空間において、更に、管状構成により仕切られて収納室が形成されることを特徴とする請求項１に記載の携帯式揺動健康器具が提供される。
【００１８】
請求項３に係る発明によれば、本体の周壁に外部突出部が設けられ、伝達板の前後側において、位置制限ブロックが突出し、前記位置制限ブロックと本体外方向突出部とが嵌合することにより、伝達板が、本体の内部空間において、制限された直線方向に変位することを特徴とする請求項１に記載の携帯式揺動健康器具が提供される。
【００１９】
請求項４に係る発明によれば、本体には、上部ふたと底部ふたとが設けられてあり、内部部材が収納された後、上部ふたと底部ふたが、それぞれ嵌合されることにより、本体の上下方ともに閉鎖されることを特徴とする請求項１に記載の携帯式揺動健康器具が提供される。
【００２０】
請求項５に係る発明によれば、駆動装置が、一方向モーターであり、一方向モーターの上下に、それぞれ、伝達板と連接部材とが設置され、連接部材が長尺板であり、本体の底部の下方に設置され、二つの組み立て部材を連結することを特徴とする請求項１に記載の携帯式揺動健康器具が提供される。
【００２１】
請求項６に係る発明によれば、駆動装置が、双方向モーターであり、前記双方向モーターの上下に、それぞれ、伝達板が実装されることを特徴とする請求項１に記載の携帯式揺動健康器具が提供される。
【００２２】
請求項７に係る発明によれば、偏心部材に、軸受が嵌設されることを特徴とする請求項１に記載の携帯式揺動健康器具が提供される。
【００２３】
請求項８に係る発明によれば、結合帯の一端に、折戻り部が形成され、組み立て部材が、軸ピンであり、前記軸ピンが、結合帯の折戻り部に貫設して、結合帯と伝達板とが連結されることを特徴とする請求項１に記載の携帯式揺動健康器具が提供される。
【００２４】
請求項９に係る発明によれば、調整結合部が、止着テープであることを特徴とする請求項１に記載の携帯式揺動健康器具が提供される。
【００２５】
請求項１０に係る発明によれば、調整結合部が、雄雌係合具であることを特徴とする請求項１に記載の携帯式揺動健康器具が提供される。
【００２６】
本発明に係る携帯式揺動健康器具は、前記の通り、本体、駆動装置、少なくとも一つの伝達板、二つの結合帯及び二つの組み立て部材が備えられたものである。本体には、内部空間があり、内部空間に、収納室が仕切られ、収納室の両側において、外方向へ向かって、本体底部と周壁に、それぞれ、位置制限溝と開口が形成される。駆動装置は、モーターであり、本体の収納室に収納され、連動軸と結合した偏心部材によりパワーを伝達板に伝達する。伝達板には、長尺溝が形成されてあり、両側に、それぞれ、伸長アームが設けられ、前記伝達板が、本体の内部空間に収納され、長尺溝に、偏心部材が嵌入され、本体の前後側の周壁で、伝達板が位置制限される。また、伝達板が、本体の内部空間において、制限されるように、直線方向に変位できる。結合帯は、一端が、開口から貫通され、組み立て部材で、本体の内部空間において、伝達板の伸長アームと連結され、もう一端が、調整結合部になり、組み立て部材を伝達板の伸長アームと本体の位置制限溝に貫通して、前記組み立て部材により結合帯と伝達板とが連結される。また、前記二つの組み立て部材が、本体の底部の下方において連結されて両側から受ける力が安定化されるように構成されたものである。
【発明の効果】
【００２７】
本発明は、前記の通りの構成からなり、小型化され、携帯可能であって、振動方式により任意に身体各部を選択しマッサージの施療を行うことができ、また、マッサージ施療において、直線方向にのみ作動し、捻る動作はなく、左右にリズムよく振動を与えることができるので、ユーザーに快適感を与えることができる。    
【発明を実施するための最良の形態】
【００２８】
以下、図面を参照しながら、本発明の特徴や技術内容について、詳しく説明するが、それらの図面等は、参考や説明のためであり、本発明は、それらによって限定されるものでは無い。
【００２９】
図１乃至図６に示すように、本発明に係る健康器具は、本体１０、駆動装置２０、少なくとも一つの伝達板３０、連接部材４０、二つの結合帯５０及び二つの組み立て部材６０が備えられたものである。本体１０には、底部１０１と、上記底部１０１の周縁から上方へ伸びる周壁１０２とがあり、底部１０１と周壁１０２とにより、本体１０において、内部空間１０３が囲まれる。内部空間１０３において、更に、管状構成１０４により、仕切られて、収納室１０５が形成される。上記管状構成１０４が、周壁１０２の外方向突出部１０６に対向するように、設置される。また、管状構成１０４の両側から、外方へ向かって、底部１０１と周壁１０２に、それぞれ、位置制限溝１０７と開口１０８が設けられる。
【００３０】
前記本体１０に、上部ふた１１と底部ふた１２とがあり、内部に部材が収納されて、上部ふた１１と底部ふた１２を覆うと、本体１０の上下方が、ともに、閉鎖される。駆動装置２０は、モーターで、本体１０の収納室１０５に収納され、連動軸２１と連結される偏心部材２２で、パワーを伝達板３０に伝達する。伝達板３０は、長尺溝３１を有し、両側に、それぞれ、伸長アーム３２が設けられ、上記伝達板３０が、本体１０の内部空間１０３に収納され、長尺溝３１に、偏心部材２２が嵌入され、伝達板３０の前後側から突出した位置制限ブロック３３と本体１０の外方向突出部１０６と嵌合する。また、伝達板３０が、制限された範囲内に、直線方向に変位でき、連接部材４０は、長尺板で、本体１０の底部１０１の下方に位置し、両側から受ける力が安定化する。
結合帯５０は、一端が、開口１０８から貫設され、内部空間１０３において、折戻り部５１により、組み立て部材６０が貫設され、もう一端が、調整結合部５２になり、上記調整結合部５２は、止着テープや雄雌係合具等であり、組み立て部材６０は、軸ピンで、上記軸ピンは、伝達板３０の伸長アーム３２と結合帯５０の折戻り部５１、本体１０の位置制限溝１０７及び連接部材４０に貫通して、軸ピンが貫設されることにより、伝達板３０と連接部材４０及び結合帯５０が、連結される。
【００３１】
本発明によれば、図７と図８に示すように、駆動装置２０が稼動すると、連動軸２１により、偏心部材２２が、偏心回転を行うように、連動され、長尺溝３１で、退避して、伝達板３０が、偏心部材２２によって押さえられ、左右に変位する。また、位置制限ブロック３３が、外方向突出部１０６に嵌合され、そして、位置制限溝１０７によって制限されることにより、伝達板３０と連接部材４０及び組み立て部材６０が、直線方向にしか作動しなくて、捻ることがないので、捻ることによる振動が解消されるため、マッサージ健康運動の過程が、より快適になる。
【００３２】
本発明によれば、マッサージ健康運動の部位に応じて、結合帯５０を、人体の腰部や腹部の位置に嵌設させ（図９のうに）、結合帯５０の囲みの大きさが、調整できるため、駆動装置２０が稼動して、伝達板３０により、二つの組み立て部材６０が連動されて変位した時、二つの結合帯５０が、同期に往復的に押して引き、腰部や腹部の筋肉や脂肪は、結合帯５０の運動が掛けられ、左右にリズムよく揺動する。これにより、腰部や腹部の前後方及び両側に対して、マッサージを行い、健康運動の目的が達成され、ボディ曲線を形づくる具体的な効果が得られる。
【００３３】
また、本発明によれば、マッサージ健康運動の部位に応じて、結合帯５０を、人体の尻位置に嵌設させ（図10のように）、結合帯５０の囲みの大きさが調整できるため、駆動装置２０が稼動して、伝達板３０により、二つの組み立て部材６０が連動されて変位した時、二つの結合帯５０が、同期に往復的に押して引き、尻の筋肉や脂肪は、結合帯５０の運動が掛けられ、左右にリズムよく揺動する。これにより、尻や骨盤に対して、マッサージを行い、健康運動の目的が達成され、ボディ曲線に対する具体的な効果が得られる。
【００３４】
本発明によれば、マッサージ健康運動の部位に応じて、結合帯５０を、人体の上腿部や下腿部に嵌設させ（図１１と図１２のように）、結合帯５０の囲みの大きさが調整できるため、駆動装置２０が稼動すると、伝達板３０により、二つの組み立て部材６０が連動されて変位した時、二つの結合帯５０が、同期に往復的に押して引き、上腿部や下腿部の筋肉や脂肪は、結合帯５０の運動が掛けられ、左右にリズムよく揺動する。これにより、上腿部や下腿部に対して、マッサージを行い、健康運動の目的が達成され、ボディ曲線に対する具体的な効果が得られる。
【００３５】
また、上記駆動装置２０は、一方向（図６のように）や両方向モーター（図１３のように）でもよく、駆動装置２０が、双方向モーターである場合、駆動装置２０の上下に、それぞれ、伝達板３０があり、偏心部材２２に嵌設された軸受２３（図１４のように）により、その稼動作動をスムーズに行なうことができる。
【００３６】
前記携帯式揺動健康器具によれば、下記の利点が得られる。
１、本体１０の体積が小さくて、携帯が便利であり、ユーザーが、時間や空間によって制限されず、任意に利用でき、また、如何なる方式のマッサージ健康運動も行うことができる。
２、本体１０の体積が小さくて、空間を取らないため、ユーザーが、結合帯５０を人体に囲む時、全周式のように、身体を覆ってマッサージすることができる。
３、結合帶50が、振動方式で人体に接触しないため、マッサージの部位に、苦痛及び不快適な感覚を与えず、ユーザーが、マッサージの快適感をより感じることができる。
４、健康器具を使用する時、人体の筋肉や脂肪には、結合帯５０の運動が掛けられ、左右にリズムよく揺動し（図１５のように）、これにより、身体の各部位に対して、マッサージするだけでなく、健康運動を行い、ボディ曲線を形づくる具体的な効果が得られる。
５、全周式に覆うことにより、大範囲で、人体が連動され、人体が、それとともに、リズムよく揺動して、運動効果が得ることができる。
６、全周式に覆うことにより、結合帯５０全体が同期に作動でき、人体に対して、片方へ押すことや挟むことを防止でき、使用過程においての快適感が得られ、また、ユーザーに対して、苦痛を与えたり、傷を付けるようなことは防止することができる。
【００３７】
以上は、本発明のより良い実施形態であり、本発明は、それらによって限定されるものではない。本発明に係わる特許請求の範囲や明細書の内容に基づいて行った等価の変更や修正は、全てが、本発明の特許請求の範囲内に含まれるものである。
【図面の簡単な説明】
【００３８】
【図１】本発明の一実施形態による健康器具の斜視図である。
【図２】本発明の一実施形態による健康器具の分解斜視図である。
【図３】本発明の一実施形態による健康器具の縦断面図である。
【図４】本発明の一実施形態による健康器具の横断面斜視図である。
【図５】本発明の一実施形態による健康器具の横断面図である。
【図６】本発明の一実施形態による健康器具の横断面側面図である。
【図７】本発明の一実施形態による健康器具の使用状態を示す横断面図（１）である。
【図８】本発明の一実施形態による健康器具の使用状態を示す縦断面図（２）である。
【図９】本発明の一実施形態による健康器具を腰部及び腹部位置に使用した状態を示す使用状態図である。
【図１０】本発明の一実施形態による健康器具を臀部位置に使用した状態を示す使用状態図である。
【図１１】本発明の一実施形態による健康器具を腿部位置に使用した状態を示す使用状態図である。
【図１２】本発明の一実施形態による健康器具を下腿部位置に使用した状態を示す使用状態図である。
【図１３】本発明の一実施形態による健康器具の駆動装置が両方向モーターである構成を示す説明図である。
【図１４】本発明の一実施形態による健康器具の偏心部材に軸受が実装された状態を示す説明図である。
【図１５】本発明の一実施形態による健康器具の動作のリズム状態図である。
【図１６】従来の健康器具の斜視図である。
【図１７】従来の健康器具の分解斜視図である。
【図１８】従来の他の健康器具の斜視図である。
【図１９】従来の他の健康器具の使用状態図である。
【符号の説明】
【００３９】
本発明
１０  本体
１０１  底部
１０２  周壁
１０３  内部空間
１０４  管状構成
１０５  収納室
１０６  外方向突出部
１０７  位置制限溝
１０８  開口
１１  上部ふた
１２  底部ふた
２０  駆動装置
２１  連動軸
２２  偏心部材
２３  軸受
３０  伝達板
３１  長尺溝
３２  伸長アーム
３３  位置制限ブロック
４０  連接部材
５０  結合帯
５１  折戻り部
５２  調整結合部
６０  組み立て部材
従来
７０  パッド体
７１  固定座
８０  マッサージ帯セット
８１  結合帯
８１１  調整結合部
８２  モーター
８３  連動軸
８４  偏心輪セット
８４１  偏心部材
８４２  結合部材
８４３  軸受
９０  底座
９１  支持柱
９２  制御器
９３  係合耳
９４  係合リング
９５  腰帯
９６  拘束帯
【図１】
2014097274.tif 000003
【図２】
2014097274.tif 000004
【図３】
2014097274.tif 000005
【図４】
2014097274.tif 000006
【図５】
2014097274.tif 000007
【図６】
2014097274.tif 000008
【図７】
2014097274.tif 000009
【図８】
2014097274.tif 000010
【図９】
2014097274.tif 000011
【図１０】
2014097274.tif 000012
【図１１】
2014097274.tif 000013
【図１２】
2014097274.tif 000014
【図１３】
2014097274.tif 000015
【図１４】
2014097274.tif 000016
【図１５】
2014097274.tif 000017
【図１６】
2014097274.tif 000018
【図１７】
2014097274.tif 000019
【図１８】
2014097274.tif 000020
【図１９】
2014097274.tif 000021